(57)【要約】      （修正有）【課題】水道管や給湯管などの配管並びに空調用の熱媒給送管等の配管を保温のために外装被覆する断熱保温カバーにおいて、アルミガラスクロスの重ね合わせ部分の接着強度を高めた断熱保温カバーを提供する。【解決手段】本断熱保温カバー３は、原紙にアルミガラスクロスを接着した積層構造からなり、前記断熱材２に巻き付け外装被覆した際に断熱保温カバー３の重ね合わせ部分となる端部内側に化学反応形接着剤６を塗布し、さらに少なくとも前記重ね合わせ部分に当たるアルミガラスクロス表面に化学反応形接着剤を塗布したものである。【選択図】図１
0003152749.tif 000002
【実用新案登録請求の範囲】
【請求項１】
原紙にアルミガラスクロスを接着した積層構造からなる断熱保温カバーにおいて、該断熱保温カバーを配管の断熱材に巻き付け外装被覆した際に前記断熱保温カバーの重ね合わせ部分となる端部内側に化学反応形接着剤を塗布した塗布層と、前記断熱保温カバーのアルミガラスクロス表面全体に化学反応形接着剤を塗布した塗布層を形成したことを特徴とする断熱保温カバー。
【請求項２】
前記化学反応形接着剤層は、アクリル変成シリコーン樹脂および合成樹脂、無機物を成分とし、少なくとも断熱保温カバーの重ね合わせ部分に当たる前記断熱保温カバーのアルミガラスクロス表面にコーティングすることを特徴とする請求項１記載の断熱保温カバー。
【考案の詳細な説明】
【技術分野】
【０００１】
本考案は、水道管や給湯管などの配管並びに空調用の熱媒給送管等の配管を保温のために外装被覆する断熱保温カバーに関する。
【背景技術】
【０００２】
従来、水道管や給湯管などの配管並びに空調用の熱媒給送管等の配管の筒状断熱体の連結片の粘着領域を保護するための離型紙を用いなくてすむ保温カバーが一般的に知られている（特許文献１を参照）。
この公知技術では、保温カバーは、配管が挿通する中心孔と該中心孔に配管を差し込む開口を形成する軸方向に延びるスリットをもち配管を被覆する筒状の断熱体と、該断熱体の外周面に一体的に接合固定される本体部と該本体部と一体的に形成され少なくとも周方向の一端がスリットを区画する一端より突出しスリットを区画する他端側の断熱体の外周面に直接又は間接的に剥離可能に貼着し、前記スリットを閉じる連結片とを持つ補強シートとを具備するものである。
また、水道管や給湯管などの配管並びに空調用の熱媒給送管等の配管の筒状断熱体の連結片の離型紙を剥離する操作の作業性が優れた保温カバーが知られている（特許文献２を参照）。
この公知技術は、保温カバーは、配管が挿通する中心孔と該中心孔に配管を差し込む開口を形成する軸方向に延びるスリットをもち配管を被覆する筒状の断熱体と、該断熱体の外周面に一体的に固定され少なくとも周方向の一端がスリットを区画する一端より突出した連結片を持つ補強シートと、前記連結片の中心方向側の内側面に形成された粘着層と、該粘着層を覆う離型部と該離型部に一体的に形成され粘着層より離れる方向に延びる操作部とからなる離型紙とを具備するものである。
【先行技術文献】
【特許文献】
【０００３】
【特許文献１】実用新案登録第３０５５００４号公報
【特許文献２】実用新案登録第３０３９５６８号公報
【考案の概要】
【考案が解決しようとする課題】
【０００４】
本考案は、水道管や給湯管などの配管並びに空調用の熱媒給送管等の配管を保温のために外装被覆する断熱保温カバーにおいて、アルミガラスクロスの重ね合わせ部分の接着強度を高めた断熱保温カバーを提供することを目的とする。
【課題を解決するための手段】
【０００５】
本考案の断熱保温カバーは、原紙にアルミガラスクロスを接着した積層構造からなる断熱保温カバーにおいて、該断熱保温カバーを配管の断熱材に巻き付け外装被覆した際に前記断熱保温カバーの重ね合わせ部分となる端部内側に化学反応形接着剤を塗布した塗布層と、前記断熱保温カバーのアルミガラスクロス表面全体に化学反応形接着剤を塗布した塗布層を形成したものである。
前記化学反応形接着剤層は、アクリル変成シリコーン樹脂および合成樹脂、無機物を成分とし、少なくとも断熱保温カバーの重ね合わせ部分に当たる前記断熱保温カバーのアルミガラスクロス表面にコーティングするものである。
【考案の効果】
【０００６】
本考案の断熱保温カバーは、アルミガラスクロス表面の重ね合わせ部分の接着強度を高めているため、接合部の剥離を防ぐことができると共に保温効果を維持することができ、且つ剥離による結露を防止することができる効果がある。
【図面の簡単な説明】
【０００７】
【図１】本考案の断熱保温カバーの使用状態を示す斜視図である。
【図２】本考案の断熱保温カバーの断面図である。
【考案を実施するための形態】
【０００８】
本考案の断熱保温カバーの一実施例を添付図面に基づいて、以下に説明する。
図１の斜視図に示すように、水道管や給湯管並びに空調用の熱媒給送管等の配管１の外周囲を発泡スチロールや無機質繊維クロス等の断熱材２で被覆し、さらに該断熱材２の外装材として、本考案の断熱保温カバー３が巻き付け外装被覆される。
本考案の断熱保温カバー３は、図２の断面図に示すように、原紙４にアルミガラスクロス５を接着層９で接着した積層構造からなり、前記断熱材２に巻き付け外装被覆した際に前記断熱保温カバー３の重ね合わせ部分となる端部内側に化学反応形接着剤を塗布した塗布層６を形成し、さらに少なくとも前記重ね合わせ部分に当たるアルミガラスクロス５表面に化学反応形接着剤を塗布した塗布層７を形成したものである。
前記化学反応形接着剤は、アクリル変成シリコーン樹脂６５％および合成樹脂３０％、無機物５％を成分とし、多用途のシーリング材や密着性増強用粘着剤として利用されているものであり、本考案の断熱保温カバー３のアルミガラスクロス５表面全体に前記化学反応形接着剤をコーティングすることにより、前記断熱保温カバー３の剥離を防止できると共に、密着性、防湿性、色褪せ防止等の効果がある。
【０００９】
本考案の断熱保温カバーの操作動作を添付図面に基づいて、以下に説明する。
図１に示すように、水道管や給湯管並びに空調用の熱媒給送管等の配管１の外周囲を発泡スチロールや無機質繊維クロス等の断熱材２で被覆した後、前記断熱材２に巻き付けるようにして断熱保温カバー３を外装被覆する。
その際、前記断熱材２と断熱保温カバー３とはホットメルト接着剤、エマルジョン系接着剤や有機溶剤系接着剤により接着固定する。
そして、前記断熱保温カバー３の端部の接合は、前記断熱保温カバー３の重ね合わせ部分となる原紙４に化学反応形接着剤を塗布した塗布層６の剥離紙８を剥離して前記アルミガラスクロス５の表面に巻き付け、前記アルミガラスクロス５表面の化学反応形接着剤の塗布層７部分に前記塗布層６を接着する。
なお、作業現場で前記断熱保温カバー３の端部に化学反応形接着剤を塗布して両塗布層６，７を直接接着することも出来る。
本考案の断熱保温カバー３は、前記化学反応形接着剤の粘着性により、アルミガラスクロス５表面の重ね合わせ部分の接着強度を高めているため、接合部の剥離を防ぐことができると共に保温効果を維持することができ、且つ剥離による結露を防止することができる効果がある。
【符号の説明】
【００１０】
１  配管
２  断熱材
３  断熱保温カバー
４  原紙
５  アルミガラスクロス
６  塗布層
７  塗布層
８  剥離紙
９  接着層
【図１】
0003152749.tif 000003
【図２】
0003152749.tif 000004